(57)【要約】【課題】  キャリーケースの表面を空気中の塵埃や雨風から保護するためのキャリーケース用カバーを提供する。また、キャリーケース用カバーを使用していないときに折り畳んでコンパクトにできるようにする。【解決手段】  前身頃６と後身頃２４を有する袋体２０であって、下方へ向けて開口している袋体２０と、袋体２０の後身頃２４の下端部から帯状に延在する延伸帯２６と、を備えるキャリーケース用カバー１において、袋体２０の前身頃６の下端部から上側へ延びるようにジッパ２２が設けられており、延伸帯２６の先端部に１つ又は複数の係合具３２’が設けられているとともに、これらと係合可能な１つ又は複数の係合具が袋体２０の前身頃の下端部３２に設けられていることを特徴とする、キャリーケース用カバー１を提供する。【選択図】  図１
0003226666.tif 000002
【実用新案登録請求の範囲】
【請求項１】
前身頃と後身頃を有する袋体であって、下方へ向けて開口している袋体と、
上記袋体の後身頃の下端部から帯状に延在する延伸帯と、
を備えるキャリーケース用カバーにおいて、
上記袋体の前身頃の下端部から上側へ延びるようにジッパが設けられており、
上記延伸帯の先端部に１つ又は複数の係合具が設けられているとともに、これらと係合可能な１つ又は複数の係合具が上記袋体の前身頃の下端部に設けられていることを特徴とする、キャリーケース用カバー。
【請求項２】
上記延伸帯の先端部に設けられている１つ又は複数の係合具と係合可能な１つ又は複数の係合具が、上記延伸帯の固定端付近ないし上記後身頃の下端部付近にも設けられていることを特徴とする、請求項１に記載のキャリーケース用カバー。
【請求項３】
上記係合具は一対の又は複数の対のボタンホックであることを特徴とする、請求項１又は請求項２に記載のキャリーケース用カバー。
【請求項４】
上記袋体の上側に、キャリーケースのキャリーバーを外方へ引き出すための引出孔が設けられていることを特徴とする、請求項１〜３のいずれかに記載のキャリーケース用カバー。
【請求項５】
上記延伸帯の所定の位置にポケットが設けられていることを特徴とする、請求項１に記載のキャリーケース用カバー。
【考案の詳細な説明】
【技術分野】
【０００１】
本考案は、キャリーケース用カバーに関し、詳しくは、キャリーケースの表面を空気中の塵埃や雨風から保護するためのキャリーケース用カバーに関する。
【背景技術】
【０００２】
キャリーケースとして種々のサイズのものや、様々なデザインが施されたものが市販されており、キャリーケースは現在では、旅行用や出張用に限らず、日常使用の鞄として多くの人に用いられている。
【０００３】
そのように頻繁に使用されているキャリーケースを空気中の塵埃やウィルスから守って大切に使用し続けたいと願うキャリーケースの使用者は、外出先でキャリーケースに表面保護用のカバーを被せるようにしている。例えば、乗り物に乗るときや、ホテルでキャリーケースを預けるときに、キャリーケースの表面が汚れる心配がある場合に、キャリーケース用カバーを被せることがある。
【０００４】
しかし、キャリーケース用カバーがキャリーケースから取り外されたときには、そのカバーが別の用途を有しない限り余分な荷物となる。そこで、使用していないときに小さく折り畳んでコンパクトにできるような機能があるとよい。
【先行技術文献】
【特許文献】
【０００５】
【特許文献１】特開２０１５−８０５２７号公報
【特許文献２】実用新案登録第３１１２５９７号公報
【考案の概要】
【考案が解決しようとする課題】
【０００６】
キャリーケースの表面を空気中の塵埃や雨風から保護するためのキャリーケース用カバーであって、別の用途に使うこともできるキャリーケース用カバーを提供する。また、キャリーケース用カバーを使用していないときに折り畳んでコンパクトにできるようにする。
【課題を解決するための手段】
【０００７】
前身頃と後身頃を有する袋体であって、下方へ向けて開口している袋体と、袋体の後身頃の下端部から帯状に延在する延伸帯と、を備えるキャリーケース用カバーにおいて、袋体の前身頃の下端部から上側へ延びるようにジッパが設けられており、延伸帯の先端部に１つ又は複数の係合具が設けられているとともに、これらと係合可能な１つ又は複数の係合具が袋体の前身頃の下端部に設けられていることを特徴とする、キャリーケース用カバーを提供する。
【０００８】
また、延伸帯の先端部に設けられている１つ又は複数の係合具と係合可能な１つ又は複数の係合具が、延伸帯の固定端付近ないし後身頃の下端部付近にも設けられていることを特徴とする。
【０００９】
一実施例においては、係合具は一対の又は複数の対のボタンホックであることを特徴とする。
【００１０】
さらには、袋体の上側に、キャリーケースのキャリーバーを外方へ引き出すための引出孔が設けられていることを特徴とする。
【００１１】
他の実施例においては、延伸帯の所定の位置にポケットが設けられていることを特徴とする。
【図面の簡単な説明】
【００１２】
【図１】本考案のキャリーケース用カバーを示す図。
【図２】キャリーケース用カバーの使用方法を説明する図。
【図３】一実施例におけるキャリーケース用カバーを示す斜視図。
【図４】一実施例におけるキャリーケース用カバーを示す斜視図。
【図５】キャリーケース用カバーの折り畳み方の一例を示す図。
【図６】他の実施例におけるキャリーケース用カバーを示す図。
【図７】図６に示したキャリーケース用カバーの他の使用例を示す図。
【図８】図６に示したキャリーケース用カバーの折り畳み方の他の例を示す図。
【考案を実施するための形態】
【００１３】
本考案のキャリーケース用カバーについて、添付の図を参照しつつ説明する。
【００１４】
図１は、本考案のキャリーケース用カバー１の正面図である。キャリーケース用カバー１は、前身頃６と後身頃２４を有する袋体２０を備え、この袋体２０は下方へ開口された袋状の形状に形成されている。また、袋体２０の前身頃６の下端部から上側４へ延びるようにジッパ２２が設けられている。使用者がこのジッパ２２を開操作すると、図１（ａ）に示されるように、袋体２０の下側を左右に拡げることができるようになる。
【００１５】
図１（ｂ）は、ジッパ２２が閉じた状態を示している。一実施例においては、キャリーケース用カバー１を被せた後に、キャリーケース２のキャリーバーハンドル８を外方へ引き出すためのキャリーバーハンドル引出孔１０が形成されている。さらには、キャリーケース２の上面の持ち手１２を外方へ引き出すための持ち手引出孔１４が形成されている場合もある。これに加えて、キャリーケースの側面の持ち手１６を外方へ引き出すための持ち手引出孔１８が形成されている場合もある（図２及び図３を併せて参照されたい）。
【００１６】
さらに図１に示されるように、袋体２０の後身頃２４の下端部から帯状の延伸帯２６が延びており、この延伸帯２６の先端部３０に沿って１つ又は複数のボタンホック３２’が設けられている。これらのボタンホック３２’は、袋体２０の前身頃６の下端部に沿って設けられた１つ又は複数のボタンホック３２と係合可能に構成されている。
【００１７】
図２は、本考案のキャリーケース用カバー１をキャリーケース２に被せる方法を説明する図である。使用者は最初に、袋体２０に設けられたジッパ２２を開けるように操作する。そして、袋体２０の前身頃６を左右へ拡げてから、この袋体２０をキャリーケース２の上方から被せる。すると、図２（ａ）に示される状態となる。
【００１８】
使用者は続いて、キャリーケース用カバー１のジッパ２２を閉じるように操作する。次に、後身頃２４の下端部から延在する延伸帯２６をキャリーケース２の底面２８に沿わせるように引っ張って、袋体２０の前身頃の下端部に設けられたボタンホック３２に、延伸帯２６の先端部３０に設けられたボタンホック３２’を係合させる。そして使用者が、キャリーバーハンドル引出孔１０を通してキャリーバーハンドル８を外方へ引き出し、持ち手引出孔１４を通して持ち手１２を外方へ引き出し、さらには持ち手引出孔１８を通して持ち手１６を外方へ引き出すと、図２（ｂ）に示される状態となる。
【００１９】
図３は、キャリーケース用カバー１が被せられた状態を示す斜視図である。キャリーケース２の上面を覆うべきキャリーケース用カバーの上側４に、キャリーバーハンドル８を外方へ引き出すためのキャリーバーハンドル引出孔１０と、持ち手１２を外方へ引き出すための持ち手引出孔１４が形成されている。
【００２０】
図４は、キャリーケース用カバー１が被せられた状態のキャリーケース２の底面側を示す斜視図である。図示されているように、袋体２０の前身頃２０と後身頃２４とが延伸帯２６を介して確実に繋がれているので、風の強い日にも、キャリーケース用カバー１がキャリーケース２から外れてしまうことがない。なお、他の実施例においては、延伸帯２６の先端部３０と袋体２０とを係合させるための係合具として、一対の又は複数の対のボタンホックの代わりに、面ファスナ等の他の係合具が用いられる場合もある。
【００２１】
図５は、キャリーケース用カバー１の折り畳み方の一例を示す。使用者は最初に、図５（ａ）に矢印Ａで示される方向へ折り目（破線で示されている）に沿って、袋体２０の片側を畳む。続いて、図５（ｂ）に矢印Ｂで示される方向へ折り目に沿って、袋体２０の他方の側を折り畳む。続いて、図５（ｃ）に矢印Ｃで示される方向へ折り目に沿って２つ折りに、袋体２０を折り畳む。続いて、図５（ｄ）に矢印Ｄ方向で示される方向へ折り目に沿って、袋体２０を３つ折りに折り畳む。続いて、この袋体２０を図５（ｅ）に矢印Ｅで示される方向へ、延伸帯２６の内面上に折り畳む。最後に、図５（ｆ）に矢印Ｆで示される方向へ折り畳み、延伸帯２６の先端部３０に設けられた１つ又は複数のボタンホック３２’と、これらと係合可能な１つ又は複数のボタンホック１００（延伸帯２６の固定端３６付近ないし後身頃２４の下端部付近に設けられている）とを係合させる。これにより、図５（ｇ）の拡大図に示されるように、キャリーケース用カバー１をコンパクトにまとめて、ポーチのような形態にすることができる。
【００２２】
袋体２０の後身頃の背面の下端部に沿って設けられているボタンホック１００は、ボタンホック３２’と係合可能な係合具であると同時に、延伸帯２６の固定端３６を袋体２０に繋ぎ留める固定具としても機能している場合がある。
【００２３】
図６に示されるキャリーケース用カバー１の他の実施例においては、延伸帯２６にメッシュ状の内ポケット３８が設けられている。一実施例においては、メッシュ状の内ポケット３８は、伸縮性の素材からつくられている場合がある。
【００２４】
図７は、図６に示したキャリーケース用カバー１の他の使用例を示す。他の使用例として、本考案のキャリーケース用カバー１は、椅子の背凭れに掛けて使用することもできる。例えば、外出先の図書館などにおいて仕事をするときに、文房具を置くためのスペースが不足するときがあるが、そのようなときに、椅子の背凭れに本考案のキャリーケース用カバー１を被せて延伸帯２６を垂らすことにより、延伸帯２６のポケット３８に文房具４２を収納させることができる。すなわち、椅子の下に文房具４２を置く場所を確保することができる。
【００２５】
図８は、図６に示したキャリーケース用カバー１の折り畳み方の一例を示す。使用者は最初に、図８（ａ）に示される矢印Ａ方向へ折り目に沿って、袋体２０の片側を折り畳む。続いて、図８（ｂ）に示される矢印Ｂ方向へ折り目に沿って、袋体２０の他方の側を折り畳む。そして、この袋体２０を図８（ｃ）に示される矢印Ｃ方向へ折り目に沿って、該袋体２０上に３つ折りに折り畳む。最後に、延伸帯２６のポケット３８内へこの袋体２０を収容させるように、図８（ｄ）に示される矢印Ｄ方向へ折り畳む。こうして、図８（ｅ）に示されるように、延伸帯２６の所定の位置に設けられたポケット３８内へキャリーケース用カバー１の概ね全体を収めることができる。このように、延伸帯２６の内側面にポケット３８が設けられている場合においては、ボタンホック等の係合具を使用することなく、キャリーケース用カバー１をコンパクトにまとめることが可能となる。
【符号の説明】
【００２６】
１…キャリーケース用カバー
２…キャリーケース
４…（袋体２０の）上側
６…前身頃
８…キャリーバーハンドル
１０…キャリーバーハンドル引出孔
１２…持ち手
１４…持ち手引出孔
１６…持ち手
１８…持ち手引出孔
２０…袋体
２２…ジッパ
２４…後身頃
２６…延伸帯
２８…（キャリーケース２の）底面
３０…先端部
３２…ボタンホック
３２’…ボタンホック
３４…底足
３６…固定端
３８…ポケット
４０…背凭れ
４２…文房具
１００…ボタンホック
【図１】
0003226666.tif 000003
【図２】
0003226666.tif 000004
【図３】
0003226666.tif 000005
【図４】
0003226666.tif 000006
【図５】
0003226666.tif 000007
【図６】
0003226666.tif 000008
【図７】
0003226666.tif 000009
【図８】
0003226666.tif 000010